(57)【特許請求の範囲】
【請求項１】
積層、連設することによって護岸や土留めを構築する平面視矩形筒状のプレキャストコンクリートブロックであって、各側面は、前面と後面を延長した２つ凸条と側面中央の凸条により構成される２つの陥凹部を備え、且つ、前面と後面を延長した２つ凸条の長さをほぼ等しくし、且つ、側面中央の板状の凸条が他の２つの凸条よりも突出していることを特徴とする護岸ブロック。
【請求項２】
積層、連設することによって護岸や土留めを構築する平面視矩形筒状のプレキャストコンクリートブロックであって、各側面は、前面と後面を延長した２つ凸条と側面中央の凸条により構成される２つの陥凹部を備え、側面中央の凸条が他の２つの凸条よりも突出しており、且つ、側面中央の凸条には、隣り合う護岸ブロック同士を連結するためのボルト用挿通孔を設けたことを特徴とする護岸ブロック。
【請求項３】
前面と両側面には、貫通窓を設けた物である、請求項１又は請求項２記載の護岸ブロック。
【発明の詳細な説明】
【０００１】
【発明の属する技術分野】
本発明は、護岸や土留め用の構築物を構成する護岸ブロックの改良に関するものである。
【０００２】
【従来の技術】
従来から、平面視矩形筒状のコンクリートブロック（護岸ブロック）を、多数横方向、或いは縦横方向に連接して護岸や土留め用の構築物を構成するすることが行なわれている。ところが、従来の護岸ブロックは、曲面（内カーブや外カーブ）を形成することがなかなか困難であった。
【０００３】
【発明が解決しようとする課題】
これは、従来の護岸ブロックでは、側面に凸条がないか、あっても前後の２箇所であり、設計通りの曲面を形成するには手間と時間を要する欠点があった。
【０００４】
【課題を解決するための手段】
そこで、本発明者は上記問題に鑑み鋭意研究の結果遂に本発明を成したものであり、その特徴とするところは、護岸ブロックの各側面には、前面と後面を延長した２つ凸条とともに、側面中央にも凸条を設け、且つ、側面中央の凸条を他の２つの凸条よりも突出させた点にある。
【０００５】
即ち本発明は、積層、連設することによって護岸や土留めを構築する平面視矩形筒状のプレキャストコンクリートブロックであって、各側面は、前面と後面を延長した２つ凸条と側面中央の凸条により２つの陥凹部を備え、且つ、側面中央の凸条が他の２つの凸条よりも突出しているものである。また、側面中央の凸条には、隣り合う護岸ブロック同士を連結するためのボルト用挿通孔を設けている。更に、前面と両側面に貫通窓を設けると、護岸に用いた場合には、魚類の出入りや水の循環が容易にできるし、土留めの場合には、排水が良好に行なえる利点がある。
【０００６】
また、本発明の護岸ブロックは、３つの凸条の内中央部の凸条が突出しているので、隣り合う護岸ブロックの中央部凸条同士を接触させた状態で設置すれば、直線状の護岸や土留めが構築される。尚、中央部凸条同士を接触させた状態で他の一方の凸条が接するように内側又は外側へ曲げて設置すると、自然に曲線状の護岸や土留めが構築される。しかもこの中央部の凸条のため、側面の強度が増加する。
【０００７】
しかも、３つの凸条により、側面は２つの陥凹部が生じているので、隣り合う護岸ブロックの中間には、２つの縦方向の空間が生じることになる。従って、護岸ブロック本体の空間と併せて３つの空間ができることになり、この空間に、グリ石や土、その他異なった素材を充填することができ、護岸や土留め構築物に変化を持たすことができる。
【０００８】
【発明の実施の形態】
以下図面に示す実施例に基づいて本発明を更に詳細に説明する。図１は、本発明に係る護岸ブロック１の一例を示す。この護岸ブロック１は、前面板２と背面板３及び２つの側面板４、５で囲まれた平面視矩形筒状のもので、前面板２には、３つの貫通窓２１が透設されている。そして、各側面板４、５には、前面板２と背面板３を延長した２つ凸条６、７と側面板中央の凸条８が設けられており、各凸条により２つの陥凹部９、１０ができている。また、側面板中央の凸条８が他の２つの凸条６、７よりも突出している。尚、本例では凸条８が最も突出し、次いで凸条６、凸条７の順となっている（ａ＜ｂ）が、これは内カーブを作りやすくしたものであり、これに限定されるものではなく、ａ＞ｂやａ＝ｂでもよい。要は、凸条８が他の凸条６、７よりも突出しておればよい。凸条８の他の凸条６、７に対する突出の程度は、護岸ブロックの全面幅が２０００ｍｍの場合、１０〜１００ｍｍ程度で十分である。そして、各陥凹部９、１０には円形の貫通窓１１、１２が穿設され、側面板中央の凸条８には、連結用ボルト用挿通孔１３が透設されている。また、背面板３には切欠３１が設けられている。
【０００９】
図２は、２個の護岸ブロック１をボルト１４で連結した状態を示す。本発明の場合、連結部分に２つの充填用空間１５、１６ができる。そして、本体の充填用空間１７とあわせて３種類の充填用空間ができるので、様々な種類の充填物を組み合わせて変化のある護岸施設をえることができる。従来のものは、充填用空間が１種類か精々２種類である。
【００１０】
次に、本発明の大きな特徴は、内カーブや外カーブに沿った敷設が極めて容易にできることである。図３（ａ）は、側面板中央の凸条８同士を接当して直線状に敷設した状態を示すが、前面板２を延長した凸条６と側面板中央の凸条８同士を当接して敷設すると、図３（ｂ）に示すように、簡単且つ確実に内カーブが得られる。緩い内カーブの場合には、凸条６同士の間をあけておけばよい。また、外カーブの場合には、図３（ｃ）に示すように、側面板中央の凸条８と背面板を延長した凸条７同士を当接させるとよい。
【００１１】
以上は、平面的な設置について説明したところであるが、このような状態で、上下方向に段積みすると、任意の高さの護岸や法面の保護工事を行なうことができる。その場合、図４に示すように、側面板４、５の下面と上面にガイドピン１８を埋設する穴１９、２０を穿設しておくと、前後のずれがなく、安定して敷設できる。尚、穴１９、２０は、傾斜に併せて複数個穿設しておくとよい。
【００１２】
充填用空間１５、１６、１７には、用途や敷設場所に応じてぐり石や土砂等を充填する。護岸の場合、適当量のぐり石を入れておくと、魚巣の働きもする。また、空間１５、空間１６のうち一方或いは両方にコンクリートを充填して、組み上げた護岸ブロックの全体を一体化することもできる。この場合、ぐり石や土砂等の充填は、空間１５、空間１６のうちの一方と空間１７、或いは空間１７に対してのみ行なう。或いは空間１７に対してもコンクリートの充填を行ってもよい。
【００１３】
【発明の効果】
以上詳細に説明したように本発明の護岸ブロックは、各側面に、前面と後面を延長した２つ凸条と側面中央の凸条により２つの陥凹部を設け、且つ、側面中央の凸条が他の２つの凸条よりも突出しているものである。
【００１４】
従って、直線状はもとより、内カーブや外カーブの部分にも容易確実に沿わすことができる。また、充填用空間の種類が多く、様々な充填物を用途に応じて使い分けることができる。そして、土砂を充填して植生したり、ぐり石を充填して魚巣の働きをさせる、或いはコンクリートを充填して組み上げた護岸ブロックの全体を一体化することができるなど、多くの利点を有するものである。
【図面の簡単な説明】
【図１】本発明に係る護岸ブロックの例を示す斜視図である。
【図２】２個の護岸ブロック連結した状態を示す平面図である。
【図３】図３（ａ）は護岸ブロックを直線状に敷設した状態を示す平面図、図３（ｂ）は護岸ブロックを内カーブ状に敷設した状態を示す平面図、図３（ｃ）は護岸ブロックを外カーブ状に敷設した状態を示す平面図である。
【図４】図４（ａ）は２つの護岸ブロックを上下に積み上げた状態の側面図、図４（ｂ）は同じく２つの護岸ブロックを異なる角度で上下に積み上げた状態の側面図である。
【符号の説明】
１      護岸ブロック
２      前面板
２１    貫通窓
３      背面板
３１    切欠
４      側面板
５      側面板
６      凸条
７      凸条
８      側面板中央の凸条
９      陥凹部
１０      陥凹部
１１      貫通窓
１２      貫通窓
１３      連結用ボルト用挿通孔
１４      ボルト
１５      充填用空間
１６      充填用空間
１７      本体の充填用空間
１８      ガイドピン
１９      穴
２０      穴
【図１】
0004194185.tif 000002
【図２】
0004194185.tif 000003
【図３】
0004194185.tif 000004
【図４】
0004194185.tif 000005